(57)【要約】      （修正有）【課題】タイヤ交換機などで簡単に使用でき、構造が簡単なタイヤ固定機械を提供する。【解決手段】機械Ｂ上にある回転装置Ａに連結可能な支持構造体に車輪のリムをロックするための少なくとも２つのロックジョー３を有し、ジョーを最大開放位置と、最小開放位置の間で移動させる移動機構６、ならびに該移動機構と少なくとも１つのジョーの間に配置され、最大開放位置および／または最小開放位置を調節する少なくとも１つの調節機構１１を備え、該調節機構が、概ね細長い形状であり移動機構６に対応付けられ、その長手軸の周りで回転し、ねじ込み部分を有する調節要素、および少なくとも１つのジョーと一体式に連結され、ねじ込み穴を有し、この穴の中に調節要素のねじ込み部分が係合する可動要素１３を備え、調節要素の長手軸の周りでの回転が、そのねじ込み部分上で、近づいたり／離れたりする移動方向に平行な調節方向に沿って可動要素１３を移動要素を含む。【選択図】図１
2014051271.tif 000002
【特許請求の範囲】
【請求項１】
修理工場の機械上などにある車両のホイールリムをロックするための器具であって、
−修理工場の機械の回転装置に連結可能な支持構造体、
−前記支持構造体に対応付けられた車輪のリムをロックするための少なくとも２つのロックジョーであって、前記ジョーが互いから最大限の距離に配置される最大開放位置と、前記ジョーが互いから最小限の距離に配置される最小開放位置の間で近づいたり／離れたりする相互移動方向に少なくとも沿って移動する少なくとも２つのロックジョー、
−前記ジョーに対応付けられ、前記ジョーを前記最大開放位置と、前記最小開放位置の間で移動させるのに適した移動機構、および
−前記移動機構と、前記ジョーの少なくとも１つの間に配置され、前記最大開放位置および／または前記最小開放位置を調節するのに適した少なくとも１つの調節装置を備え、
前記調節装置が、
−概ね細長い形状であり、前記移動機構に対応付けられ、その固有の長手方向軸の周りを回転し、少なくとも１つの少なくとも１つのねじ込み部分を有する少なくとも１つの調節要素、および
−前記ジョーの少なくとも１つと一体式になるように対応付けられ、少なくとも１つのねじ込み穴を有し、この穴の中に前記調節要素の前記ねじ込み部分が係合する、少なくとも１つの可動要素であって、前記調節要素の前記長手方向軸の周りでの回転が、前記ねじ込み部分上で、近づいたり／離れたりする前記相互移動方向にほぼ平行な調節方向に沿って、該可動要素を移動させるのに適している少なくとも１つの可動要素を備えることを特徴とする器具。
【請求項２】
前記調節装置が、前記調節要素の先端に一体式に連結された少なくとも１つの把持要素を備えることを特徴とする、請求項１に記載の器具。
【請求項３】
前記調節装置が、前記移動機構と、前記調節要素の間に配置された少なくとも１つの接続要素を備え、前記調節要素が、軸方向に回転するように前記接続要素に連結されることを特徴とする、請求項１に記載の器具。
【請求項４】
前記移動機構が、少なくとも１つの線形アクチュエータを備え、前記接続要素が、前記線形アクチュエータの少なくとも一部に一体式に連結されることを特徴とする、請求項３に記載の器具。
【請求項５】
前記移動機構が、少なくとも２つの線形アクチュエータを備え、前記接続要素が、前記線形アクチュエータの各々の部分と一体式に連結された少なくとも２つの実質的に対向する先端を有することを特徴とする、請求項４に記載の器具。
【請求項６】
前記調節装置が、前記調節要素に対する前記可動要素の並進を誘導するガイド機構を備えることを特徴とする、請求項１に記載の器具。 
【請求項７】
前記調節装置が、前記調節要素に対する前記可動要素の並進を誘導するガイド機構を備え、前記ガイド機構が、少なくとも１つの細長いスロットを備え、該スロットが、前記調節方向にほぼ平行な方向に沿って前記可動要素上に延びており、該スロットの中に前記接続要素の少なくとも一部の摺動部分が適合されることを特徴とする、請求項３に記載の器具。
【請求項８】
前記ガイド機構が、少なくとも一組の前記細長いスロットを備え、該スロットが、前記調節方向にほぼ平行な方向に沿って、前記調節要素と実質的に反対側の前記可動要素の部分に延びており、該スロットの中に、前記接続要素のそれぞれの摺動部分が適合されることを特徴とする、請求項７に記載の器具。
【請求項９】
前記可動要素が概ねカップ形状であり、前記調節要素の少なくとも一部が、前記可動要素の中に収容されることを特徴とする、請求項７に記載の器具。
【請求項１０】
前記移動機構と、実質的に互いに対向する前記２つのジョーの間に配置された少なくとも２つの前記調節装置を備えることを特徴とする、請求項１から９のいずれか一項に記載の器具。
【請求項１１】
前記支持構造体が、修理工場の機械の前記回転装置に連結可能であり、少なくとも１つのホイールのリムを支えるのに適した少なくとも１枚のプレートであることを特徴とする、請求項１から１０のいずれか一項に記載の器具。
【請求項１２】
前記支持構造体が、前記プレート上に形成された少なくとも２つのガイドを備え、該ガイドの中に、前記ジョーを支えるそれぞれの摺動式のキャリッジが適合されることを特徴とする、請求項１から１１のいずれか一項に記載の器具。
【請求項１３】
前記移動機構が、レバーの少なくとも１つのセルフセンタリングシステムを備え、該レバーが前記ジョーの各々に接続され、前記各ジョーを、前記支持構造体の回転の中心軸に対して同じ距離に維持するのに適していることを特徴とする、請求項１に記載の器具。
【発明の詳細な説明】
【技術分野】
【０００１】
本発明は、修理工場の機械上などにある車両のホイールリムをロックするための器具に関する。
【背景技術】
【０００２】
例えばメンテナンス作業を行なったり、あるいはリムおよび／またはタイヤ自体を交換するために、車両のホイールの関連するリムにタイヤを装備したり、取り外したりすることができる、いわゆる工場のタイヤ交換機の利用が知られている。
【０００３】
このようなタイヤ交換機は一般に、ホイールのリムを回転させて把持し配置するための手段を支持し、リムロックスピンドルを有するベース構造体、ならびにタイヤをリムから取り外すおよび／またはタイヤに装備するのに適した１つまたは複数の工具を有する少なくとも１つの工具担持アームで成り立っている。
【０００４】
ホイールのリムを回転させて把持し配置するための手段には様々な種類があり、様々な種類のリムロックスピンドルで構成されている。
【０００５】
リムを回転させて把持し配置するための特定の種類の手段は、ホイールのリムの縁部を把持する把持手段で構成されている。
【０００６】
このようなリムの縁部を把持するための把持手段は、例えばいわゆるジョーロックを備えたスピンドルで構成される場合がある。
【０００７】
具体的にはジョーロックを備えたスピンドルは、リムのための締め付けプレートで構成されており、これは回転可能に中心の作業軸の周りでタイヤ交換機のベース構造体に適合され、リムの縁部の４つの把持用のジョーを有する。
【０００８】
ジョーは、各々の支持スライド上に適合され、好適なアクチュエータの作動によって、プレートの中央から外に向かって、およびその反対に、プレートの中心でのジョーの位置決めに対応する閉鎖構成と、プレートの周辺部でのジョーの位置決めに対応する開放構成の間を移動する。
【０００９】
具体的にはジョーを使用することで、外側と内側の両方でリムの縁部に係合することができる。
【００１０】
ひとたび把持位置に移動すると、ジョーが、リムの縁部の各々の部分に対応して係合することで、リム自体をプレートにロックする。
【００１１】
アクチュエータの利用によって一般に行なわれる調節に関係なく、さらにジョーの位置の調節を行なうことへの要望も知られており、これにより様々な寸法のリムに対してスピンドルを使用することが可能になる。
【００１２】
具体的には、従来式のリムと比べて寸法が大きなリムを利用することがますます一般的になっており、広く普及している、その結果従来式のジョースピンドルを使用することができなくなるが、その理由は、完全に伸張したアクチュエータおよび最大開放位置にあるジョーによって実現可能な最大限の直径が、こういったリムの直径よりも小さいためである。
【００１３】
このような問題を克服するために、各々のジョーを手動で調節することが知られており、これは、各々のジョーをそれぞれの支持スライド上で移動させ適切に位置決めすることによって行なわれる。
【００１４】
さりとてこのような手動の作業は複雑な場合が多く、必要な時間から見てもコストがかかり、調節を行なう必要のある作業者がミスを犯すことで、スピンドルの正確な動作に悪影響を及ぼす可能性があるため、必ずしも効率的とは言えない。
【００１５】
このような欠点を克服する目的で、ＥＰ１５１８７１８が知られており、ここではタイヤ交換機用のセルフセンタリング式の把持装置が記載されており、この装置は、互いから等距離にある複数の半径方向のスラットを有する支持プレートを備えており、このスラットの中に、リムに関係する把持ジョーが摺動式に挿入される。
【００１６】
ジョーは、特定のレバーシステムを利用して互いに接続されるため、それらは常に、プレートの回転軸に対して等距離にあり、ジョーを半径方向に並進させるのに適したアクチュエータ手段に対応付けられている。
【００１７】
さらにジョーの作業位置を変えるのに適した位置決め装置が、少なくとも１つのジョーと、アクチュエータ手段の間に配置され、この位置決め装置は、該アクチュエータに対してその動作距離を変えずに配置される。
【００１８】
具体的には位置決め装置は、特定のクランクを備えたクランクシャフト、ジョーの１つと一体式の内筒に収容されるのに適したそのボタン、および作動手段に接続されたその外側ピンを備える。
【００１９】
特定のロック手段が、２つの対向する対照的な作業位置においてクランクシャフトをロックするのに適している。
【００２０】
それにも関わらず、このようなセルフセンタリング式の把持装置は、その欠点がなくならない。
【００２１】
具体的には使用される位置決め装置は構造上複雑であり、それを実現させるには、タイヤ交換機のセルフセンタリング式の把持スピンドルの製造時間とコストにかなりの影響を及ぼす。
【００２２】
別の欠点は、使用される位置決め装置は単に、２つの末端位置にジョーを位置決めすることができるだけであるため、ロックすべき特定の寸法のリムに応じて把持ジョーの位置を正確に調節することができないことである。
【００２３】
さらにジョーを２つの末端位置にしか位置決めすることができないことから、連続した調節作業が必要となり、これには互いに異なる寸法のリムに対して順に作業する必要がある場合も含まれる。
【００２４】
したがってこれは、タイヤ装着および／または取り外し全体の時間がかなり長くなることを意味する。
【先行技術文献】
【特許文献】
【００２５】
【特許文献１】ＥＰ１ ５１８ ７１８
【発明の概要】
【発明が解決しようとする課題】
【００２６】
本発明の主たる目的は、修理工場の機械上などにある車両のホイールリムをロックするための器具を提供することであり、この器具によって、アクチュエータを利用して行なわれる調節に関係なく、ジョーの位置をさらに調節することが可能になり、これは、構造的に簡素で合理的で、使用するのが簡単で効率がよく、費用が安い解決法を利用している。
【００２７】
本発明の別の目的は、修理工場の機械上などにある車両のホイールリムをロックするための器具を提供することであり、この器具によって、把持ジョーの位置を正確に調節することが可能になり、これはロックすべき特定の寸法のリムに応じて行なうことができる。
【００２８】
本発明の別の目的は、修理工場の機械上などにある車両のホイールリムをロックするための器具を提供することであり、この器具によって、異なる寸法のリムに対して装着／取り外し作業を行なう際に、ジョーを調節するのに必要な作業の数を相当減らすことが可能である。
【課題を解決するための手段】
【００２９】
上記の目的は、修理工場の機械上などにある車両のホイールリムをロックするための器具によって達成され、この器具は、
−修理工場の機械上などの回転装置に連結可能な支持構造体、
−支持構造体に対応付けられた車輪のリムをロックするための少なくとも２つのロックジョーであって、該ジョーが互いから最大限の距離に配置される最大開放位置と、該ジョーが互いから最小限の距離に配置される最小開放位置の間で近づいたり／離れたりする相互移動方向に少なくとも沿って移動する少なくとも２つのロックジョー、
−該ジョーに対応付けられ、該ジョーを該最大開放位置と、該最小開放位置の間で移動させるのに適した移動機構、および
−該移動機構と、該ジョーの少なくとも１つの間に配置され、該最大開放位置および／または該最小開放位置を調節するのに適した少なくとも１つの調節装置を備え、
該調節装置が、
−概ね細長い形状であり、該移動機構に対応付けられ、その固有の長手方向軸の周りを回転し、少なくとも１つの少なくとも１つのねじ山込み部分を有する少なくとも１つの調節要素、および
−該ジョーの少なくとも１つと一体式になるように対応付けられ、少なくとも１つのねじ込み穴を有し、この穴の中に調節要素の該ねじ込み部分が係合する、少なくとも１つの可動要素であって、該調節要素の該長手方向軸の周りでの回転が、該ねじ込み部分上で、近づいたり／離れたりする該相互移動方向にほぼ平行な調節方向に沿って、該可動要素を移動させるのに適している少なくとも１つの可動要素を備えることを特徴とする。
【００３０】
本発明の他の特徴および利点は、修理工場の機械上などにある車両のホイールリムをロックするための器具の好ましい実施形態（但しそれが唯一ではない）の記載からより明らかになると思われ、この実施形態は、限定ではなく、純粋に１つの例として添付の図面に示されている。
【図面の簡単な説明】
【００３１】
【図１】一般的なタイヤ交換機上に配置された本発明によるロック器具の不等角投影図である。
【図２】本発明によるロック器具の詳細の不等角投影図である。
【図３】本発明によるロック器具の詳細の不等角投影の部分断面図である。
【図４】本発明によるロック器具の調節装置の作動を示す図である。
【図５】本発明によるロック器具の調節装置の作動を示す図である。
【図６】本発明によるロック器具の調節装置の作動を示す図である。
【図７】本発明によるロック器具の調節装置の作動を示す図である。
【図８】本発明によるロック器具の調節装置の作動を示す図である。
【図９】本発明によるロック器具の調節装置の作動を示す図である。
【図１０】本発明によるロック器具の調節装置の作動を示す図である。
【図１１】本発明によるロック器具の調節装置の作動を示す図である。
【発明を実施するための形態】
【００３２】
このような図面を特に参照すると、例えば修理工場の機械上などにある車両のホイールリムをロックするために使用される器具が全体的に１で示されている。
【００３３】
器具１は、機械Ｂの従来式の回転装置Ａに連結可能な支持構造体２を備える。
【００３４】
好ましい一実施形態を参照すると、図面に示されるように、支持構造体２は、機械Ｂの装置Ａに固定することができる１枚のプレートで構成されており、ホイールのリムを支えるのに適している。
【００３５】
器具１はまた、プレート２に関連するリムをロックするための少なくとも２つのジョー３を備えており、これらのジョーは、互いから最大限の距離に配置される最大開放位置と、それらが互いから最小限の位置に配置される最小開放位置の間で近づいたり／離れたりする相互移動方向Ｄに沿って移動する。
【００３６】
好ましくは図面に示されるように、器具１は、２組のジョー３を備えており、これらのジョーは、互いに対して直角に、近づいたり／離れたりする各々の移動方向Ｄに沿って移動する。
【００３７】
具体的にはプレート２は、半径方向のスロットで構成され角度を成して等距離にある４つのガイド４を有しており、その内部にそれぞれの摺動式のキャリッジ５が適合されることで、各々のジョー３を支えている。
【００３８】
しかしながら、図面に示されるものに対して異なる形状および寸法のプレートを有し、異なる数、構造および傾斜のジョー３を誘導するスロット４を有する異なる支持構造体２も除外することはできない。
【００３９】
器具１は、移動機構６を備えており、この機構は、各々のジョー３に接続され、ジョー３を最大開放位置と最小開放位置の間で移動させるのに適している。
【００４０】
通常、移動機構６は、セルフセンタリングレバーの適切なシステムを備えており、このレバーは各々のジョー３に接続され、各々のジョー３を、プレート２の回転の中心軸Ｃに対して常に同じ距離に維持するのに適している。
【００４１】
好ましい一実施形態を参照すると、図面に示されるように、移動機構６は、２つの線形アクチュエータ７を備えている。
【００４２】
線形アクチュエータ７は、例えば流体作動によるアクチュエータシリンダーで構成することができる。
【００４３】
常に好ましい一実施形態を参照すると、図面に示されるように、セルフセンタリングレバーのシステムは、プレート２の下に配置され、４組の接続ロッド８を備えており、この接続ロッドは、一方の先端において、それぞれのキャリッジ５の下部に関節式に連結され、反対側の先端において、２つのそれぞれの回転可能なプレート９の角に関節式に連結されている。
【００４４】
回転可能プレート９は概ね正方形であり、実質的に重なり合うように設置されており、プレート２の中心ピン１０に対して空転することで、各々の１つの組の接続ロッド８が、近づいたり／離れたりするそれぞれのジョー３の移動方向Ｄに対して互いに対称になるように配置されている。
【００４５】
有利には、器具１は、少なくとも１つの調節装置１１を備えており、この装置は、移動機構６と、少なくとも１つのジョー３の間に配置され、ジョー自体を最大開放位置と最小開放位置に調節するのに適している。
【００４６】
したがって、この調節装置１１によって、ロックすべきリムのサイズによって、ジョー３の間の距離を調節することが可能になり、使用される線形アクチュエータ７の往復距離を変える必要はない。
【００４７】
具体的には、調節装置１１は、図２および図３において詳細にかつ好ましい一実施形態において示されており、
−概ね細長い形状であり、線形アクチュエータ７に接続され、その長手方向軸Ｅの周りを回転可能であり、少なくとも１つのねじ込み部分を有する１つの調節要素１２、および
−ジョー３の１つのキャリッジ５と一体式に固定され、ねじ込み穴１４を有しており、この穴の中に調節要素１２のねじ込み部分が係合する１つの可動要素１３を備える。
【００４８】
有利には、調節要素１２がその長手方向軸Ｅの周りで回転することによって、そのねじ込み部分上で、近づいたり／離れたりするジョー３の移動方向に平行な調節方向Ｆに沿って可動要素１３を移動させることができる。
【００４９】
具体的には、１つの好ましい実施形態を参照すると（但しこれが唯一の実施形態ではない）、調節要素１２は、少なくとも１つのねじ込み部を有するピンで構成することができる。
【００５０】
通常、調節装置１１は、ピン１２の先端に一体式に固定された把持要素１５を備えており、この要素には容易に到達することができ、作業者が、ピン自体を掴み回転させ易くするのに好適であるように構成されている。
【００５１】
具体的には、把持要素１５は、外向きに曲げられたピン１２の先端に一体式に固定された特定のノブで構成することができる。
【００５２】
ピン１２は、線形アクチュエータ７に固定された接続要素１６に対して軸方向に回転するように接続されている。
【００５３】
具体的には、接続要素１６は、細長い形状の本体で構成され、２つの対向する先端を有しており、この２つの先端は、線形アクチュエータ７の各ピストンの先端にそれぞれ固定されている。
【００５４】
接続要素１６はまた、貫通穴を有する中央部分を備えており、この中に、ピン１２が軸方向に回転可能に挿入される。
【００５５】
第１および第２スラスト軸受が、接続要素１６にある貫通穴の反対側の区域に対応するようにピン１２に対して留められることで、ピン１２が接続要素１６に対して長手方向軸Ｅに沿って移動するのを阻止する。
【００５６】
可動要素１３は、概ねカップ形状であり、ピン１２の少なくとも一部がその中に収容される。
【００５７】
通常、調節装置１１は、ピン１２に対する可動要素１３の並進を誘導するガイド機構１７を備える。
【００５８】
図面に示される特定の実施形態を参照すると、ガイド機構１７は、一組の直線で細長いスロット１７で構成されており、これらのスロットは、ピン１２に対して反対側で、調節方向Ｆに平行な方向に沿って可動要素１３の壁上に延びており、このスロットの中に、接続要素のそれぞれの摺動部分が適合される。
【００５９】
有利には、好ましい一実施形態において、かつ図面に示されるように、器具１は、２つの調節装置１１を備えており、これらの装置は、線形アクチュエータ７と、それぞれ対向するジョー３の間に配置される。
【００６０】
具体的には、第２調節装置１１は、各々の接続要素１６を有しており、線形アクチュエータ７の各々のシリンダーの先端にそれぞれ固定された対向する先端を有する。
【００６１】
第２調節装置１１があることによって、具体的には、ジョー３が調節するためにより大きな動作距離を移動することが可能になる。
【００６２】
器具１の作動が以下に記載され、図４から図１０に概略的に示されている。
【００６３】
具体的には、図４から図９には、器具１は、線形アクチュエータ７が完全に伸張し、よってジョー３が最大開放位置において互いから離れた状態で示されることが指摘されている。
【００６４】
一方、図１０および図１１では、器具１は、線形アクチュエータ７が完全に回収され、よってジョー３が最小開放位置で互いに近づいた状態で示されている。
【００６５】
最初の位置から始まって、ジョー３は、互いから規定された距離に配置される場合（図４および図５）、器具１を異なる寸法のリムに適合させるために、ジョー３の位置を精巧に調節する必要がある。
【００６６】
この場合、作業者は、例えば調節装置１１の一方を調節して、ピン１２を動作距離の終端まで緩め、可動要素１３を調節方向Ｆに沿ってプレート２の中心に向けて移動させることができる。
【００６７】
可動要素１３の移動は、それが固定されているキャリッジ５の移動に対応しており、その結果、全てのジョー３が、セルフセンタリングレバーシステムによって相互に接続されている互いに対して近づくように移動する（図６および図７）。
【００６８】
必要であれば、第２調節装置１１を操作して、ジョー３をさらに互いに対して近づけることもできる。
【００６９】
例えば、この場合、作業者は、ピン１２を動作距離の終端まで緩めることによって第２調節装置１１を調節し、第２可動要素１３を調節方向Ｆに沿ってプレート２の中心に向けて移動させることができる。
【００７０】
第２可動要素１３の移動は、それが固定されているキャリッジ５のさらなる移動に対応しており、その結果全てのジョーのさらなる移動に対応している（図８および図９）。
【００７１】
完璧にするために、図１０および図１１において、装置１を上から見た図が示されており、線形アクチュエータ７が完全に回収され、ジョー３は最小開放位置にあり、できる限り互いに近寄っている。
【００７２】
記載した発明がいかにして提案された目的を達成するかが実際に確認された。
【００７３】
具体的には、調節装置１１によって、線形アクチュエータ７を利用して行なわれる調節に関係なく、ジョー３の位置をさらに調節することが可能になり、これは、構造的に簡素で、合理的で、使用するのが簡単で効率的であり、かつ費用が安い解決法を利用して行なわれる。
【００７４】
さらに、調節装置１１によって、把持ジョー３の位置を正確に調節することが可能になり、これはロックすべき特定の寸法のリムに応じて行なうことができる。
【００７５】
最後に、文献ＥＰ１５１８７１８に記載されるものなどの既知の解決法によって生じるものとは異なり、特定の調節装置１１によって、異なる寸法のリムに対して装着／取り外し作業を行なう際に、ジョーを調節するのに必要な作業の数を相当減らすことができる。
【符号の説明】
【００７６】
１  ロック器具
２  支持構造体
３  ジョー
４  ガイド
５  キャリッジ
６  移動機構
７  線形アクチュエータ
８  接続ロッド
９  回転可能なプレート
１０  中心ピン
１１  調節装置
１２  調節要素
１３  可動要素
１４  ねじ込み穴
１５  把持要素
１６  接続要素
１７  ガイド機構
Ａ  回転装置
Ｂ  機械
Ｃ  中心軸
Ｄ  相互移動方向
Ｅ  長手方向軸
Ｆ  調節方向
【図１】
2014051271.tif 000003
【図２】
2014051271.tif 000004
【図３】
2014051271.tif 000005
【図４】
2014051271.tif 000006
【図５】
2014051271.tif 000007
【図６】
2014051271.tif 000008
【図７】
2014051271.tif 000009
【図８】
2014051271.tif 000010
【図９】
2014051271.tif 000011
【図１０】
2014051271.tif 000012
【図１１】
2014051271.tif 000013